(57)【要約】      （修正有）【課題】太陽光が及ばない状態（環境）において、しかも室内の照明灯から下方に離れた床等に置いた状態で、効率よく機能する室内用の箱型発電装置を提供する。【解決手段】箱型発電装置において、光照射部１Ａを有する照明部１と、受光部２Ａを有する光発電部２と、それらを収納する収納箱３と、を有する。照明部１の下方に光発電部２が位置し、照明部１の光照射部１Ａが、光発電部２の受光部２Ａに対向するように配置され、照明部１の光照射部１Ａから発する光を光発電部２の受光部２Ａで受光して発電する。【選択図】図９
2020182374.tif 000002
【特許請求の範囲】
【請求項１】
光照射部を有する照明部と受光部を有する光発電部とそれらを収納する収納箱とよりなり、照明部の下方に光発電部が位置し、照明部の光照射部が光発電部の受光部に対向するように配置され、照明部の光照射部から発する光を光発電部の受光部で受光して発電することを特徴とする箱型発電装置。
【請求項２】
収納箱は、箱本体と該箱本体から引出し可能な下側載置部を備え、該下側載置部に光発電部が設けられていることを特徴とする請求項１記載の箱型発電装置。
【請求項３】
光発電部は、下側載置部を引き出した状態で外部に露出し、下側載置部を押し入れた状態で内部に収納されるものであることを特徴とする請求項２記載の箱型発電装置。
【請求項４】
収納箱は、箱本体と該箱本体から引出し可能な上側載置部を備え、該上側載置部に照明部が設けられていることを特徴とする請求項１記載の箱型発電装置。
【請求項５】
上側載置部には切り抜き部が設けられ、該切り抜き部に照明部が嵌め込まれていることを特徴とする請求項４記載の箱型発電装置。
【請求項６】
前記切り抜き部には、段状の支持鍔部が設けられており、照明部は、該支持鍔部の上に載置されて嵌め込まれるものであること特徴とする請求項５記載の箱型発電装置。
【請求項７】
収納箱３の箱本体３３の天井部３３１に、直接、照明部１が取り付けられ、光照射部１Ａが下方に向くように配置されていることを特徴とする請求項１記載の箱型発電装置。
【請求項８】
照明部又は光発電部において、電気回路の一部に触媒加工が施されていることを特徴とする請求項１記載の箱型発電装置。
【請求項９】
光発電部には、充電器が備わっているものであることを特徴とする請求項１記載の箱型発電装置。
【発明の詳細な説明】
【技術分野】
【０００１】
この発明は、直接に太陽光を使わない発電装置に関し、更に詳しくは、太陽光が遮断された状態でも照明部から発する光によって効率よく発電することができる持ち運び可能な箱型発電装置に関するものである。
【０００２】
従来、太陽光を使った大規模な発電装置が種々提供されている。
一方では、家電器具等を作動させるに足るだけの小規模な発電装置（器具）も提供されている。
例えば、特許文献１、特許文献３には、トランク型の可搬型太陽光発電装置で、本体部にヒンジ部にて開閉可能にしたものが記載されている。
また、例えば、特許文献２には、主照明用ランプと太陽電池モジュールと、太陽電池モジュールからの電力を蓄える蓄電池が設けられた照明器具が記載されている。
【０００３】
このように種々の小規模な発電装置が開発し提供されているが、これらはあくまでも、主として、自然の太陽光を利用するもので、太陽光の影響を受けない真っ黒な闇の中で機能するものではない。
ところで、太陽光の届かない環境の中で、しかも人工の照明光を使って充電する必要がある場合が生じる。
【０００４】
例えば、夜間に充電器に充電しておきたい場合などがその例である。
充電された電力は必要な時に使うことができる。
このようなことから、太陽光の及ばない範囲の環境においては、例えば、室内用照明灯による人工の光を使って発電する発電装置が開発されている。
しかし、通常、室内の照明灯では、光自体の強さが弱いので、それを利用して発電する場合は、発電力として太陽光に較べて大きく劣るものとなる。
【０００５】
すなわち、照明灯は、通常、広い空間を照らすように機能させるため、床より一定距離上方に配置されている。
そのため発電装置が、電源である照明灯から遠くなる程、急激に照度が落ちて発電力は小さくならざるをえない。
【０００６】
例えば、発電装置が室内の床に置かれた状態では、上方にある照明灯から発する光を利用した発電力は小さく発電効率が悪い。原理的に、照明灯が天井に近い位置にあるため照度が離れた距離の二乗の係数で小さくなるためである。
【０００７】
以上述べたように、照明具の照明光を利用した小規模な発電装置が種々開発されてはいるが、太陽光が及ばない状態において、照明光だけで効率よく発電できる装置は未だ提供されていない。
すなわち、太陽光が及ばない状態（環境）において、しかも室内の照明灯から下方に離れた床等に置いた状態（環境）でも、効率よく機能する室内用発電装置は提供されていない。
【先行技術文献】
【特許文献】
【０００８】
【特許文献１】特開平９−１４７９２３号公報
【特許文献２】特開平１１−１２６５０６号公報
【特許文献３】特開２００２−２３８１８３号公報
【発明の概要】
【発明が解決しようとする課題】
【０００９】
本発明は、かかる実状を背景になされたものである。
すなわち、本発明の目的は、太陽光が及ばない状態（環境）において、しかも室内の照明灯から下方に離れた床等に置いた状態で、効率よく機能する室内用の箱型発電装置を提供することである。
【課題を解決するための手段】
【００１０】
かくして、本発明者は、このような課題背景に対して、鋭意研究を重ねた結果、照明灯の光照射面と発電装置の受光部を極力接近させて配置することにより、光を効率よく利用できる点を見出し、従来の問題点を解決できることを見出し、この知見に基づいて本発明存する。
【００１１】
即ち、本発明は、（１）、光照射部１Ａを有する照明部１と受光部２Ａを有する光発電部２とそれらを収納する収納箱３とよりなり、照明部１の下方に光発電部２が位置し、照明部１の光照射部１Ａが光発電部２の受光部２Ａに対向するように配置され、照明部１の光照射部１Ａから発する光を光発電部２の受光部２Ａで受光して発電する箱型発電装置Ａに存する。
【００１２】
本発明は、（２）、収納箱３は、箱本体３３と該箱本体３３から引出し可能な下側載置部３２を備え、該下側載置部３２に光発電部２が設けられている上記（１）記載の箱型発電装置Ａに存する。
【００１３】
本発明は、（３）、光発電部２は、下側載置部３２を引き出した状態で外部に露出し、下側載置部３２を押し入れた状態で内部に収納されるものである上記（２）記載の箱型発電装置Ａに存する。
【００１４】
本発明は、（４）、収納箱３は、箱本体３３と該箱本体３３から引出し可能な上側載置部３１を備え、該上側載置部３１に照明部１が設けられている上記（１）記載の箱型発電装置Ａに存する。
【００１５】
本発明は、（５）、上側載置部３１には切り抜き部Ｓが設けられ、該切り抜き部Ｓに照明部１が嵌め込まれている上記（４）記載の箱型発電装置Ａに存する。
【００１６】
本発明は、（６）、切り抜き部Ｓには、段状の支持鍔部Ｌが設けられており、照明部１は、該支持鍔部Ｌの上に載置されて嵌め込まれるものである上記（５）記載の箱型発電装置Ａに存する。
【００１７】
本発明は、（７）、収納箱３の箱本体３３の天井部３３１に、直接、照明部１が取り付けられ、光照射部１Ａが下方に向くように配置されている上記（１）記載の箱型発電装置Ａに存する。
【００１８】
本発明は、（８）、照明部１又は光発電部２において、電気回路の一部に触媒加工が施されている上記（１）記載の箱型発電装置Ａに存する。
【００１９】
本発明は、（９）、光発電部２には、充電器が備わっているものである上記（１）記載の箱型発電装置Ａに存する。
【発明の効果】
【００２０】
以上説明したように、１）本発明の箱形発電装置は、光照射部１Ａを有する照明部１（電流→光）と受光部２Ａを有する光発電部２（光→電力）とそれらを収納する収納箱３０とよりなり、照明部１の下方に光発電部２が位置し、照明部１の光照射部１Ａが光発電部２の受光部２Ａに対向するように配置され、照明部１の光照射部１Ａから発する光を光発電部２の受光部２Ａで受光して発電するので、効率よく発電することができる。また照明部１や光発電部２が収納箱３に収納状態で保管できるため破損等が回避され、また持ち運びが容易に行える。
【００２１】
２）収納箱３は、箱本体３３と該箱本体３３から引出し可能な下側載置部３２を備え、該下側載置部３２に光発電部２が設けられているので、下側載置部３２を引き出して光発電部２を、新しいものと容易に交換することができる。
【００２２】
３）光発電部２は、下側載置部３２を引き出した状態で外部に露出し、下側載置部３２を押し入れた状態で内部に収納されるものなので、太陽光を受光して発電することも可能である。
【００２３】
４）収納箱３は、箱本体３３と該箱本体３３から引出し可能な上側載置部３１を備え、該上側載置部３１に照明部１が設けられているので、上側載置部３１を引き出して照明部１を、新しいものと容易に、交換することができる。
【００２４】
５）上側載置部３１には切り抜き部Ｓが設けられ、該切り抜き部Ｓに照明部１が嵌め込まれているので、照明部１の光照射部１Ａから発する光をこの切り抜き部Ｓを通して下方に配置された光発電部２に照射することができる。
【００２５】
６）切り抜き部３１１には、段状の支持鍔部Ｌが設けられており、照明部１は、該支持鍔部Ｌの上に載置されて嵌め込まれるものであるので、支持鍔部Ｌに載置した状態で段差に嵌め込み安定した状態に保持できる。
【００２６】
７）収納箱３の箱本体３３の天井部３３１に、直接、照明部１が取り付けられ、光照射部１Ａが下方に向くように配置されているので、照明部１の光照射部１Ａから発する光を下方に配置された光発電部２に照射することができる。
【００２７】
８）照明部１又は光発電部２において、電気回路の一部に触媒加工が施されているので、発電の効率化が促進される。
【００２８】
９）光発電部２には、充電器が備わっているので、発電された電力を蓄電することができる。
【図面の簡単な説明】
【００２９】
【図１】図１は、本発明の箱型発電装置の斜視図を示す。
【図２】図２は、本発明の箱型発電装置の上側載置部を一部引き出した状態を示す斜視図（照明部が設けられていない状態）である。
【図３】図３は、本発明の箱型発電装置の下側載置部を一部引き出した状態を示す斜視図（光発電部が設けられていない状態）である。
【図４】図４は、本発明の箱型発電装置の上側載置部を示す平面図である。
【図５】図５は、図４の上側載置部の上に照明部を載置した状態を示す図である。
【図６】図６は、本発明の箱型発電装置の下側載置部を示す平面図である。
【図７】図７は、図６の下側載置部の上に光発電部を載置した状態を示す図である。
【図８】図８は、上側載置部、下側載置部の相互の配置関係を説明する概略図である。
【図９】図９は、上側載置部、照明部、下側載置部、及び光発電部の相互の配置関係を説明する概略図である。
【図１０】図１０は、本発明の箱型発電装置の照明部における光照射部を示す斜視図である。
【図１１】図１１は、本発明の箱型発電装置の照明部における光照射部の反対側を示す斜視図である。
【図１２】図１２は、本発明の箱型発電装置の光発電部における受光部を示す斜視図である。
【図１３】図１３は、本発明の箱型発電装置の光発電部における受光部の反対側を示す斜視図である。
【図１４】図１４は、その触媒加工を施した部分を示す図であり、（Ａ）は、照明部の光照射部に触媒加工を施した例、（Ｂ）は、照明部のコントローラに触媒加工を施した例、（Ｃ）は、照明部の接続端子に触媒加を施した例をそれぞれ説明する図である。
【図１５】図１５は、第２の実施の形態の箱型発電装置の斜視図を示す。
【図１６】図１６は、箱本体の天井部に、照明部が取り付けられた状態を示す図である。
【発明を実施するための形態】
【００３０】
（実施の形態）
以下、本発明の実施の形態における箱型発電装置を図面に基づいて説明する。
（第１実施の形態）
【００３１】
図１は、本発明の箱型発電装置Ａの斜視図（外観図）を示す。
また、図２は、本発明の箱型発電装置Ａの上側載置部３１を一部引き出した状態を示す斜視図（照明部１が設けられていない状態）であり、図３は、本発明の箱型発電装置Ａの下側載置部３２を一部引き出した状態を示す斜視図（光発電部２が設けられていない
状態）である。
【００３２】
本発明の箱型発電装置Ａは、図に示すように、直方体で上下に二つの引き出し部を有し、中に収納された照明部１と光発電部２の協働作用により発電が行われる。
詳しくは、箱型発電装置Ａは、光照射部１Ａを有する照明部１（電流→光）と受光部２Ａを有する光発電部２とそれらを収納する収納箱３とよりなる。
そして、収納箱３に収納された状態では、照明部１の下方に光発電部２が位置し、照明部１から発せられた光によって光発電部２で発電が行われる。
【００３３】
この実施の形態では、収納箱３は、直方体状に形成されており、箱本体３３と上方視で矩形状の引出し部を備えている。
すなわち、収納箱３は、上側載置部３１を備えており、該箱本体３３から引出すことが可能となっている。
【００３４】
更に収納箱３は、上側載置部３１より下方に位置する下側載置部３２を備えており、同様に箱本体３３から引出すことが可能となっている。
これらの二つの引出し部は上下に間隔をおいて互いに平行に配置されている。
各引出し部は箱本体３３に設けられた図示しないレールに沿ってその上をスライドすることができる。
そして、上側載置部３１には照明部１が設けられ、また下側載置部３２には、光発電部２が設けられ、照明部１の光照射部１Ａ側が光発電部２の受光部２Ａ側に対向するように配置されている。
【００３５】
本発明の箱型発電装置Ａは、人が持ち運び可能なように、収納箱３を構成する材質として例えば、木製或いはプラスチック製で比較的軽量なものが採用される。
また、大きさも、例えば幅２５ｃｍ、奥行き３５ｃｍ、及び高さ１５ｃｍのものが採用され、そのため持ち運びに便利である。
尤もこのようなものに限られるものではない。
【００３６】
図４は、本発明の箱型発電装置の上側載置部３１を示す平面図であり、図５は、図の上側載置部３１の上に照明部１を載置した状態を示す。
因みに、この図５の上側載置部３１の照明部１の裏側が光照射部１Ａである。
【００３７】
また、図６は、本発明の箱型発電装置Ａの下側載置部３２を示す平面図であり、図７は、図６の下側載置部３２の上に光発電部２を載置した状態を示す。
照明部１は通電することにより光照射部１Ａから光を発し、その下方に位置する光発電部２は受光部２Ａでその光照射部１Ａから発する光を受けて発電する。
【００３８】
図８は、上側載置部３１、下側載置部３２の相互の配置関係を説明する概略図であり、図９は、上側載置部３１、照明部１、下側載置部３２、及び光発電部２の相互の配置関係を説明する概略図である。
【００３９】
照明部１の光照射部１Ａ(下側)が光発電部２の受光部２Ａ（上側）に対向した配置関係となっており、光照射部１Ａから発せられた光が切り抜き部Ｓを通して下方に配置された受光部２Ａに到達する。
このように上側載置部３１に切り抜き部Ｓが形成されているため、上側載置部３１に設けられた照明部１から発せられる光が下方に照らされ、光発電部２はそれを受けて発電することができる。
【００４０】
また、切り抜き部Ｓには、その内周縁には照明部１に対応した形で段差状の支持鍔部Ｌが形成されており、この支持鍔部Ｌの上に照明部１がそのまま載置される。
そして載置された状態では、照明部１が段差状の支持鍔部Ｌに嵌め込まれた状態となる。
このように、照明部１は、単に載置されて配置されて嵌め込まれているだけなので、上側載置部３１からそれを取り外す場合には、当該上側載置部３１を引き出した状態にして、そのまま照明部１を引き上げる（換言すると持ち上げる）だけでよい。
そのため照明部１を取り出して修理する場合や交換する場合も、極めて簡単である。
【００４１】
照明部１及び光発電部２は、それぞれ平板状に形成され、上述したように、上側載置部３１においては、照明部１の光照射部１Ａ側が下方に向くように配置され、下側載置部３２においては、発電部の受光部２Ａ側が上側に向くように配置されている。
これら上側載置部３１と下側載置部３２は、それぞれ収納箱３の箱本体３３に設けられた前述した図示しないレールに沿ってその上をスライドすることにより、収納箱３０の内部に押し入れて収納状態にしたり、或いは収納箱３から引き出して外部に露出状態にすることが自由に可能である。
【００４２】
また、上側載置部３１や下側載置部３２には、押し入れたり或いは引き出したりし易いように、前部に手で摘まめる図の様な取っ手を設けることが好ましい。
ところで、光発電部２は、太陽光を利用して発電することも可能である。
この場合、上側載置部３１は収納状態とし、他方の下側載置部３２は、引き出した状態にする。
このような状態では、上側載置部３１が下側載置部３２の上方を覆うことがないため、下側載置部３２に設けられた発電部の受光部２Ａには、太陽光が照射され発電される。
本来、本発明の発電装置は、太陽光の届かないところで使用されるところに利点があるが、上述のような使い方であれば、太陽光による発電をも行うことができる。
【００４３】
ここで本願発明の照明部１について更に述べる。
図１０は、本発明の箱型発電装置Ａの照明部１における光照射部１Ａを示す斜視図であり、図１１は、本発明の箱型発電装置Ａの照明部１における光照射部１Ａの反対側を示す斜視図である。
この照明部１は、直方体の収納箱３に対応するように矩形で平板状に形成されており、下側は光照射部１Ａとなっている。
【００４４】
この光照射部１Ａには、例えば有機ＥＬ発光素子が多数配設されており、これらが配線を介して制御部であるコントローラ１１に連結され、またプラグ（二相接続式）の接続端子Ｔを介して最終的には図示しない商用１００Ｖ電源のコンセントに接続される。
このコントローラ１１には、ＡＣ−ＤＣコンバータ、明るさ調整装置が設けられており、調整用摘まみを動かすことにより、点灯、消灯、照度等を調整することができるもので公知のものが採用される。
【００４５】
ところで照明部１において、回路の一部に触媒加工が施されていることが好ましい。  この触媒加工は、エネルギー効率を高めるものであり、本発明者の特許文献（特許第６３６６１３１号、特許第６００９８３５号）に開示されているので、ここで詳しくは述べない。
概略的には、触媒加工部は電気回路の一部に波動エネルギー触媒塗料を塗装処理することで得られる。
この波動エネルギー触媒塗料は、合成樹脂に無機質粉末を加えたものであり、無機質粉末としては、トルマリン粉末、蛇紋石粉末，貴宝石粉末、アモルファス粉末、チタン粉末、ラピスラズリー粉末から選ばれた1つ以上を含む粉末が採用されている。
【００４６】
図１４は、その触媒加工を施した部分を示す図であり、（Ａ）は、照明部１の光照射部１Ａに触媒加工を施した例、（Ｂ）は、照明部１のコントローラ１１に触媒加工を施した例、（Ｃ）は、照明部１の接続端子Ｔに触媒加工を施した例を説明する図である。
例えば、コントローラ１１では基板の一部に触媒加工の処理を行えばよい。
この触媒加工については、上述した本発明者の特許にその具体的な処理態様が開示されており、本発明でもこのような手法が採用される。
【００４７】
〔発電部〕
ここで本願発明の光発電部２について更に述べる。
図１２は、本発明の箱型発電装置Ａの光発電部２における受光部２Ａを示す斜視図であり、図１３は、本発明の箱型発電装置Ａの光発電部２における受光部２Ａの反対側（裏側）を示す斜視図である。
【００４８】
この光発電部２は、直方体の収納箱３０に対応するように平板で矩形状に形成されており、発電原理としてはソーラーパネル体を使った公知のものが採用される。
この光発電部２は、図示しないソーラーパネル体とそれに配線された電極の端子を備える。
詳しくは、ソーラーパネル体はソーラーパネルモジュールが平板状の枠体に複数枚直列に結合されているものである。
このソーラーパネルモジュールは、光エネルギーを電気エネルギーに変える媒体の部分であり変換素子を備えている。
【００４９】
また、ソーラーパネル体にはコントローラ部が備わっており、また該コントローラ２１から一定長さ引き出した２本の配線コードと、該各配線コードの先に設けた電極の各端子
Ｔとを備える。
コントローラ２１には、図示しない交流に変換するためのインバータや直流又は交流に切り替えるための切り替えスイッチ等が備わっている。
【００５０】
また、発電部２に、充電部を備えることにより、発電された電力を蓄電させることも可能である。
その場合、前記の接続端子Ｔを図示しない充電部に接続すればよい。
ところで光発電部２において、回路の一部に触媒加工を施すことができるが、この点については、前述の照明部１の触媒加工と同様で、電気回路の一部に波動エネルギー触媒塗料を塗装処理することで得られる。
【００５１】
（第２実施の形態）
この実施の形態は、第１の実施の形態と異なって、上側載置部３1が外に引き出すことができない構造の箱型発電装置Ａである。
図１５は、第２の実施の形態の箱型発電装置Ａの斜視図を示す。
収納箱３には、照明部１、光照射部１Ａ、下側載置部３２、及び光発電部２が収納されている。
【００５２】
この実施の形態では、第１の実施の形態において照明部１を保持しておける部分である上側載置部３１に相当する部分はない。
すなわち、第１の実施の形態における上側載置部３１に相当する役割は、収納箱３の箱本体３３の天井部３３１が直接兼ねている。
このように箱本体３３の天井部３３１に照明部１が取り付けられて保持されており、その場合、光照射部１Ａが下方に向くように配置される。
尚、照明部１は天井部３３１に固定具Ｎを介して取り付けられており、取り外しが可能である。
【００５３】
図１６は、箱本体３３の天井部３３１に、照明部１が取り付けられた状態を示す図である。
即ち、照明部１が取り付けられた天井部３３１を下方から見た状態であり、基板、配線等は鎖線で示す。
従って、光照射部１Ａから発せられた光は、下方に配置されている光発電部２の受光部２Ａで受光される。
【００５４】
光照射部１Ａからの光の明るさ（強さ）は、箱本体３３の前面上部に設けられた調整摘みＰ１により調整され、また点灯、消灯の切り替えはＯＮ―ＯＦＦスイッチＰ２にて行われる。
尚、これら調整摘みやスイッチは照明部１の基板や配線に接続されているが、図示は略した。
また、天井部自体は、図示しないネジ等の固定具により箱本体３３から取り外し可能に取り付けられている。
【００５５】
一方、下側載置部３２は、この実施の形態の場合も、第１の実施の形態のように、収納箱３に収納された状態から、簡単に引き出すことができる。
これによって、光発電部２の受光部２Ａが外部に露出するため、引き出した状態では、太陽光等による発電が可能である。
すなわち、本発明の箱型発電装置Ａは、人が持ち上げて移動可能な重量であるので、例えば、太陽光の当たる場所に移動することが容易であり、その状態において、太陽光による発電が可能となる。
【００５６】
下側載置部３２を引き出した状態では、光発電部２の受光部２Ａに太陽光が当り、発電が行われるが、下側載置部３２の引き出す度合により、太陽光を受光する量が異なるので、発電量を変更することができる別の利点がある。
その場合は、天井部３３１に取り付けられた照明部１は、機能させる必要はないので、ＯＮ／ＯＦＦスイッチをＯＦＦにしておく。
【００５７】
〔発電工程〕
本発明の箱型発電装置を使う場合、次のような工程を得て発電される。
１）照明部１に通電する。
２）照明部１の光照射面から下方に光が発散される。
３）光発電部２の受光部２Ａで照明部１の光照射面から発する光を受光する。
４）受光部２Ａから受光した光によって、光発電部２で発電が行われる。
５）発電した電力は、端子から他の装置（例えば、家庭用器具）に連結されて利用される。
光発電部２が充電器を備えている場合は、その電力を蓄えておくことができる。
【００５８】
以上、説明したように、本発明の箱型発電装置Ａは、太陽光が全く当たらない状態で発電が可能で、太陽光のない環境でも照明部１からの光を使って効率よく発電できるもので極めて有用である。
因みに、床面から高い離れた位置にある天井灯ではなく、光発電部に近い位置にある照明部の光によって発電されるので、効率が良い。
【００５９】
また、照明部１や光発電部２が収納箱３に収納状態で保管できるため、それらの破損等が回避される。
また、照明部１や光発電部２を新しいものに変える場合には、上側載置部３１を引出したり（第１の実施の形態の場合）、下側載置部３２を引き出したりすることで、収納箱３から取り出すことができ容易に交換が可能である。
【００６０】
また、照明部１の光照射部１Ａと光発電部２の受光部２Ａとが接近しているため、より効率よく光を電力に変換できる。
また、本発明の箱型発電装置Ａは、本来、太陽光を必要としないものであるが、下側載置部３２のみを引き出して光発電部２を外部に露出させることによって、太陽光を利用して発電することも可能となる。
【００６１】
以上、本発明を説明したが、本発明の箱型発電装置Ａは、上述した実施の形態に限られるものではなく、その目的に則したものであれば種々の変形が可能である。
【００６２】
例えば、第１の実施の形態において、光発電部２は下側載置部３２に固定することも可能であり、また照明部１は上側載置部３１に固定することも可能である。
このように固定することで、箱型発電装置Ａを例えば上下逆にしても支障はない。
第１の実施の形態では、上側載置部が引出し可能となっているが、引出せないように固定構造とすることも可能である。
また、第２の実施の形態における照明部のＯＮ／ＯＦＦスイッチは、第１の実施の形態のように、外へ引き出したコントローラに備えつけるようにすることも可能である。
また、照明部１としては、原理的に有機ＥＬ発光素子を使ったものを挙げたが、通常の白熱灯や蛍光灯を使うことも可能である。
【産業上の利用可能性】
【００６３】
光照射部１Ａを有する照明部１と受光部２Ａを有する光発電部２とそれらを収納する収納箱３とよりなり、照明部１の下方に光発電部２が位置し、照明部１の光照射部１Ａが下光発電部２の受光部２Ａに対向するように配置され、照明部１の光照射部１Ａから発する光を光発電部２の受光部２Ａで受光して発電するものである。
太陽光が全く当たらない状態で発電が可能であり、箱本体内の照明光によって効率よく発電ができる。
この原理は、家庭用以外に業務用としても利用可能である。
【符号の説明】
【００６４】
１…照明部
１Ａ…光照射部
１１…コントローラ
２…光発電部
２Ａ…受光部
２１…コントローラ
３…収納箱
３１…上側載置部
３２…下側載置部
３３…箱本体
３３１…天井板
Ａ…箱型発電装置  
Ｇ…取っ手
Ｌ…支持鍔部  
Ｎ…固定具
Ｐ１…調整摘み
Ｐ２…ＯＮ―ＯＦＦスイッチ
Ｓ…切り抜き部  
Ｔ…接続端子
【図１】
2020182374.tif 000003
【図２】
2020182374.tif 000004
【図３】
2020182374.tif 000005
【図４】
2020182374.tif 000006
【図５】
2020182374.tif 000007
【図６】
2020182374.tif 000008
【図７】
2020182374.tif 000009
【図８】
2020182374.tif 000010
【図９】
2020182374.tif 000011
【図１０】
2020182374.tif 000012
【図１１】
2020182374.tif 000013
【図１２】
2020182374.tif 000014
【図１３】
2020182374.tif 000015
【図１４】
2020182374.tif 000016
【図１５】
2020182374.tif 000017
【図１６】
2020182374.tif 000018